(57)【特許請求の範囲】
【請求項１】
リール本体の側板間に回転自在に支持したスプールと、少なくとも一方の前記側板に設けた駆動機構と、前記スプールの前方において、前記駆動機構のハンドル軸の回転操作に連動して左右方向に往復動可能に設けられ、前記スプールに釣糸を平行に巻回する釣糸案内体と、前記釣糸案内体に設けられたラインガイドと、を備えた魚釣用リールであって、
前記ラインガイドは、前記釣糸案内体の前方から見て、前記スプールの軸線に沿うようにして左右方向に横長形状とされた釣糸案内面を有しており、
前記リール本体における前記ラインガイドの左右側方部位には、当該ラインガイドの往復動時に、当該ラインガイドの左端部および右端部をそれぞれ収容可能な収容部が設けられていることを特徴とする魚釣用リール。
【請求項２】
前記スプールの近傍における前記リール本体の側板内面間の距離をＤ１、
最左端位置に移動したときの前記ラインガイドの左端部位置と、最右端位置に移動したときの当該ラインガイドの右端部位置との間の距離をＤ２、としたときに、これらの関係が、
Ｄ１  ＜  Ｄ２
であることを特徴とする請求項１に記載の魚釣用リール。
【請求項３】
前記収容部は、前記リール本体の側板を切欠くことで形成されていることを特徴とする請求項１または請求項２に記載の魚釣用リール。
【請求項４】
前記収容部は、前記リール本体の側板に貫通孔を設けることで形成されていることを特徴とする請求項１または請求項２に記載の魚釣用リール。
【請求項５】
前記収容部は、前記リール本体の側板に有底の凹状部を設けることで形成されていることを特徴とする請求項１または請求項２に記載の魚釣用リール。
【請求項６】
前記側板は、フレームと、このフレームに装着された外側板とを備えており、
前記収容部は、前記フレームに設けられた貫通孔と、この貫通孔に対応するように前記外側板に設けられた有底の凹状部とを含んで構成されていることを特徴とする請求項１または請求項２に記載の魚釣用リール。
【請求項７】
前記リール本体上部の前記側板間に設けられたサムレストを備え、
前記収容部は、前記サムレストによって覆われることを特徴とする請求項１または請求項２に記載の魚釣用リール。
【請求項８】
前記釣糸案内面は、前記ラインガイドの左右方向の中央部に向けて下り傾斜状とされており、
前記ラインガイドの前後方向の近傍位置には、前記軸線に沿う釣糸案内部を備えたピラーが上下方向に移動可能に設けられており、
前記ピラーは、
釣糸巻き取り時に下方向に移動することで、前記釣糸案内面の中央部に前記釣糸案内部で釣糸を誘導して当該中央部に釣糸を保持することを特徴とする請求項１から請求項７のいずれか１項に記載の魚釣用リール。
【請求項９】
前記釣糸案内面は、
前記ラインガイドの最左端位置および最右端位置における前記スプールへの投影視において、当該釣糸案内面の左右方向における略半分の領域が、前記スプールの軸方向における略半分の巻回範囲に対応したものとなっていることを特徴とする請求項１から請求項８のいずれか１項に記載の魚釣用リール。
【発明の詳細な説明】
【技術分野】
【０００１】
本発明は、スプール前方の側板間に、スプールに釣糸を平行に巻回案内するレベルワインド機構を備えた魚釣用リールに関する。
【背景技術】
【０００２】
従来、一般的な魚釣用リールは、リール本体に回転可能に支持したスプールを、動力伝達状態のクラッチＯＮ状態と動力遮断状態のクラッチＯＦＦ状態とに切り換えるクラッチレバーを備えており、このクラッチレバーを操作することで、スプールフリー（クラッチＯＦＦ状態）とし、キャスティング操作によって釣糸（仕掛け）を所定のポイントへ放出した後、ハンドルの巻き取り回転操作により、自動的にクラッチＯＮ状態に復帰できるように構成されている。
【０００３】
そして、ハンドルの巻き取り回転操作により、レベルワインド機構の釣糸案内体に設けられたラインガイドが左右方向に往復移動し、ラインガイドに挿通保持された釣糸がラインガイドを介してスプールに略平行に巻回されるようになっている。
【０００４】
ところで、魚釣用リールにおいて、釣糸放出時の抵抗を減少させることにより、飛距離性能の向上や仕掛け落下のスピード（着底までのスピード）を早くしたいという要望があった。
その一方で、巻き取り時の巻き取りムラに起因して、釣糸放出時に抵抗が生じることや、糸絡み等のトラブルが生じるのを回避するために、釣糸の巻き取り時には、スプールに対して釣糸を均一に平行に巻回したいという要望があった。
【０００５】
このような要望に対応する魚釣用リールとして、特許文献１に開示されたものが知られている。
この魚釣用リールでは、釣糸を抑える役割をなすピラーが上下方向に移動可能に設けられており、釣糸放出時にピラーを上方向に移動させることにより、釣糸放出時のガイド抵抗を減少させることができ、また、釣糸巻き取り時にはピラーを下方向に移動させることにより、ピラーを釣糸に接触させてガイドすることで、釣糸巻き取り時の巻取精度を向上させることが可能となっている。
【先行技術文献】
【特許文献】
【０００６】
【特許文献１】特開平１−１６５３２９号公報
【発明の概要】
【発明が解決しようとする課題】
【０００７】
特許文献１の魚釣用リールでは、前記したように、釣糸放出時のガイド抵抗を減少させることができるので、スムーズな釣糸の放出が可能である。しかしながら、その一方で、釣糸を案内するためのラインガイドの形状が大きく重量を有したものとなっているとともに構造も複雑であるので、これを支持している回転摺動部や伸縮摺動部の抵抗が大きくなり、釣糸巻き取り時の滑らかさ（軽快さ、感度）に劣るという問題があった。そのため、ルアー釣りに代表されるような釣糸巻き取り時の魚信（当たり）やルアーの動き、さらには水流の変化等が感知し難くなり、これらのことが釣果に影響することもあった。
【０００８】
本発明は、前記問題を解決するためになされたものであり、スムーズな釣糸の放出が可能でありながら、スムーズな釣糸の巻き取りを実現することができる魚釣用リールを提供することを課題とする。
【課題を解決するための手段】
【０００９】
このような課題を解決する本発明の魚釣用リールは、リール本体の側板間に回転自在に支持したスプールと、少なくとも一方の前記側板に設けた駆動機構と、前記スプールの前方において、前記駆動機構のハンドル軸の回転操作に連動して左右方向に往復動可能に設けられ、前記スプールに釣糸を平行に巻回する釣糸案内体と、前記釣糸案内体に設けられたラインガイドと、を備えた魚釣用リールであって、前記ラインガイドは、前記釣糸案内体の前方から見て、前記スプールの軸線に沿うようにして左右方向に横長形状とされた釣糸案内面を有しており、前記リール本体における前記ラインガイドの左右側方部位には、当該ラインガイドの往復動時に、当該ラインガイドの左端部および右端部をそれぞれ収容可能な収容部が設けられていることを特徴とする。
【００１０】
この魚釣用リールによれば、ラインガイドは、釣糸案内体の前方から見て、スプールの軸線に沿うようにして左右方向に横長形状とされた釣糸案内面を有しているので、その釣糸案内面を通じて釣糸を放出することができる。つまり、釣糸案内面は、釣糸放出時の釣糸の移動方向、すなわち、スプールの軸線に沿って左右方向に繰り出し位置を変えながら繰り出される釣糸の移動方向に対応したものとなっており、これによって、釣糸放出時には、釣糸案内面上を釣糸が左右方向に繰り出し位置を変えながら通過することとなる。したがって、釣糸放出時のガイド抵抗を減少させることができる。
【００１１】
そして、リール本体におけるラインガイドの左右側方部位に収容部が設けられているので、ラインガイドの左端部および右端部を収容部にそれぞれ収容するようにしてラインガイドを左右方向に往復動させることができ、横長形状とされた釣糸案内面を有するラインガイドにおいて、左右方向の往復動を好適に確保することができる。
【００１２】
また、本発明は、前記スプールの近傍における前記リール本体の側板内面間の距離をＤ１、最左端位置に移動したときの前記ラインガイドの左端部位置と、最右端位置に移動したときの当該ラインガイドの右端部位置との間の距離をＤ２、としたときに、これらの関係が
Ｄ１  ＜  Ｄ２
であることを特徴とする。
【００１３】
この魚釣用リールによれば、前記関係を有しているので、横長形状とされた釣糸案内面を有するラインガイドにおいて、釣糸巻き取り時に、ラインガイドの左端部と右端部とを収容部にそれぞれ好適に逃がしつつ、ラインガイドの左右方向の往復動を好適に確保することができる。
つまり、通常であれば、前記関係とされることで、リール本体の側板内面にラインガイドの左端部と右端部とがそれぞれ当接してしまうところを、収容部に左端部および右端部をそれぞれ位置させることができ、ラインガイドの左右方向の往復動を好適に確保することができる。
【００１４】
また、本発明は、前記収容部を、前記リール本体の側板を切欠くことで形成してもよいし、前記リール本体の側板に貫通孔を設けることで形成してもよいし、さらに、前記リール本体の側板に有底の凹状部を設けることで形成してもよい。
【００１５】
この魚釣用リールによれば、側板を切欠くことや側板に貫通孔を設けること、さらには、側板に有底の凹状部を設けることで、収容部を簡単に形成することができる。
【００１６】
また、本発明は、前記側板が、フレームと、このフレームに装着された外側板とを備えており、前記収容部は、前記フレームに設けられた貫通孔と、この貫通孔に対応するように前記外側板に設けられた有底の凹状部とを含んで構成されていることを特徴とする。
【００１７】
この魚釣用リールによれば、ラインガイドの往復動時に、ラインガイドの左端部および右端部を、フレームの貫通孔や外側板の凹状部にそれぞれ挿通するようにして収容することができる。
【００１８】
また、本発明は、前記リール本体上部の前記側板間に設けられたサムレストを備え、前記収容部は、前記サムレストによって覆われることを特徴とする。
【００１９】
この魚釣用リールによれば、サムレストで覆われる空間内においてラインガイドを左右方向に往復動させることができる。
【００２０】
また、本発明は、前記釣糸案内面は、前記ラインガイドの左右方向の中央部に向けて下り傾斜状とされており、前記ラインガイドの前後方向の近傍位置には、前記軸線に沿う釣糸案内部を備えたピラーが上下方向に移動可能に設けられており、前記ピラーは、釣糸巻き取り時に下方向に移動することで、前記釣糸案内面の中央部に前記釣糸案内部で釣糸を誘導して当該中央部に釣糸を保持することを特徴とする。
ここで、前記ピラーとは、釣糸を押下可能な前記釣糸案内部を有する棒状、板状、枠状を呈した部材であり、釣糸案内部としては、水平直線状、傾斜直線状、湾曲状（湾曲凸条、湾曲凹状）、複数の直線を組み合わせた形状、直線と曲線とを組み合わせた形状等がある。
【００２１】
この魚釣用リールによれば、釣糸案内面は、ラインガイドの左右方向の中央部に向けて下り傾斜状とされており、ラインガイドの前後方向の近傍位置に設けられたピラーは、釣糸巻き取り時に下方向に移動することで、釣糸案内面の中央部に釣糸案内部で釣糸を誘導して当該中央部に釣糸を保持するようになっているので、釣糸巻き取り時に釣糸は、釣糸案内面の中央部において、左右方向の移動が規制された状態で位置決めされることとなる。
また、ピラーは、スプールの軸線に沿う釣糸案内部を備えているので、ラインガイドの左右方向の往復動時に、ラインガイドの左端部および右端部が収容部にそれぞれ収容される状態においても、釣糸が釣糸案内面の中央部に釣糸案内部で好適に位置決めされることとなり、位置決めされた状態が好適に維持されながらスプールに釣糸が巻回されることとなる。
【００２２】
また、本発明は、前記釣糸案内面が、前記ラインガイドの最左端位置および最右端位置における前記スプールへの投影視において、当該釣糸案内面の左右方向における略半分の領域が、前記スプールの軸方向における略半分の巻回範囲に対応したものとなっていることを特徴とする。
【００２３】
この魚釣用リールによれば、最左端位置にラインガイドが移動した場合や、最右端位置にラインガイドが移動した場合において、釣糸案内面の左右方向における略半分の領域がスプールの軸方向における略半分の巻回範囲に対応したものとなっているので、ラインガイドが前記した最左端位置や最右端位置にある状態で釣糸の放出が行われたときには、釣糸案内面の略半分の領域を利用した釣糸の繰り出しが行われることとなる。
【発明の効果】
【００２４】
本発明によれば、釣糸案内面が左右方向に横長形状とされており、釣糸放出時には、この横長の釣糸案内面上を釣糸が左右方向に繰り出し位置を変えながら通過することとなるので、釣糸の接触抵抗（送出抵抗）が小さくなり、スムーズな釣糸の放出を実現することができる。
これにより、釣糸の放出スピードが減速され難くなり、例えば、キャスティング時の投擲距離を伸ばすことができる。また、船釣り等においては、仕掛け落下のスピードを上げることができる。
【００２５】
そして、リール本体におけるラインガイドの左右側方部位に設けられた収容部に、ラインガイドの左端部および右端部をそれぞれ収容するようにしてラインガイドを左右方向に往復動させることができるので、左右方向に往復動する釣糸案内体を介してスプールの左右に釣糸が均等に振分けられ、スプールに釣糸が均一かつ平行（平坦）に巻き取られる。これにより、スムーズな釣糸の放出が可能でありながら、スムーズな釣糸の巻き取りを実現することができる魚釣用リールが得られる。
【００２６】
また、スプールの近傍におけるリール本体の側板内面間の距離Ｄ１よりも、最左端位置に移動したときのラインガイドの左端部位置と最右端位置に移動したときのラインガイドの右端部位置との間の距離Ｄ２が大きくなるようにされた構成では、釣糸巻き取り時に、ラインガイドの左端部と右端部とを収容部にそれぞれ好適に逃がしつつ、ラインガイドの左右方向の往復動を好適に確保することができるので、左右方向に往復動する釣糸案内体を介してスプールの左右に釣糸が均等に振分けられ、スプールに釣糸が均一かつ平行（平坦）に巻き取られる。これにより、スムーズな釣糸の放出が可能でありながら、スムーズな釣糸の巻き取りを好適に実現することができる。
【００２７】
また、リール本体の側板を切欠くことやリール本体の側板に貫通孔を設けること、さらには、リール本体の側板に有底の凹状部を設けることで、収容部を形成するようにした構成では、収容部を簡単に形成することができるので、生産性を向上させることができる。
【００２８】
また、側板が、フレームと、このフレームに装着された外側板とを備えた構成では、ラインガイドの往復動時に、ラインガイドの左端部および右端部を、フレームの貫通孔や外側板の凹状部に挿通するようにしてそれぞれ収容することができるので、フレームと外側板とにより収容部に剛性をもたせつつ、ラインガイドの左右方向の移動を確保することができ、さらには、フレームと外側板とを備えた構成において左右方向のコンパクト化も図ることができる。
また、フレームの貫通孔が外側板の凹状部で覆われるので、異物の混入防止が可能である。
【００２９】
また、リール本体上部の側板間に設けられたサムレストによって収容部が覆われる構成では、サムレストで覆われる空間内においてラインガイドを左右方向に往復動させることができるので、サムレストでラインガイドを保護することができる。
また、例えば、サムレストを回動等によって開閉可能に設けることで、サムレストを開くことにより収容部を開放することができ、メンテナンス性の向上を図ることができる。
また、収容部がサムレストで覆われるので、例えば、側板がフレームと外側板とで構成される場合において、収容部をこれらの合せ部等で形成するようにしたものと比べて、合せ部（合せ面）の形状を単純な形状とすることができる。このことは、生産性の向上に寄与する。
【００３０】
また、釣糸案内面が中央部に向けて下り傾斜状とされ、ピラーの釣糸案内部で釣糸を誘導して当該中央部に釣糸を保持するようにした構成では、釣糸巻き取り時に釣糸は、釣糸案内面の中央部において、左右方向の移動が規制された状態で位置決めされることとなるので、左右方向に往復動する釣糸案内体を介してスプールの左右に釣糸が均等に振分けられ、スプールに釣糸が均一かつ平行（平坦）に巻き取られる。これにより、スムーズな釣糸の放出が可能でありながら、スムーズな釣糸の巻き取りを好適に実現することができる。
【００３１】
また、釣糸案内面が、ラインガイドの最左端位置および最右端位置におけるスプールへの投影視において、当該釣糸案内面の左右方向における略半分の領域が、スプールの軸方向における略半分の巻回範囲に対応したものとなっている構成では、ラインガイドが最左端位置や最右端位置にある状態で釣糸の放出が行われたときに、釣糸案内面の略半分の領域を利用した釣糸の繰り出しが行われることとなるので、最左端位置および最右端位置においてもスムーズな釣糸の放出を実現することができる。
【図面の簡単な説明】
【００３２】
【図１】本発明の第１実施形態に係る魚釣用リールの構成を示す図であり、（ａ）は前面図、（ｂ）は上面図である。
【図２】（ａ）はリール本体の内部構造を示す上面図、（ｂ）ラインガイドとスプールとの関係を示す前面図、（ｃ）はラインガイドの詳細を示す前面図である。
【図３】（ａ）は魚釣用リールの側面図、（ｂ）はリール本体の要部を示す縦断面図である。
【図４】クラッチ機構を示す説明図である。
【図５】（ａ）〜（ｃ）は釣糸巻き取り時における各部の位置関係を示す説明図、（ｄ）〜（ｆ）は釣糸放出時における各部の位置関係を示す説明図である。
【図６】（ａ）（ｂ）は釣糸巻き取り時におけるラインガイドの位置を示す上面図、（ｃ）はリール本体の側板内面間の距離とラインガイドの左右端部位置間の距離との関係を示した上面図、（ｄ）は釣糸放出時における釣糸の左右方向の動きを示す上面図である。
【図７】（ａ）は最左端位置にラインガイドが移動したときの前面図、（ｂ）は最右端位置にラインガイドが移動したときの前面図である。
【図８】本発明の第２実施形態に係る魚釣用リールの構成を示す図であり、（ａ）は前面図、（ｂ）は上面図である。
【図９】収容部を断面で示した図であり、（ａ）は収容部を縦断面で示した図、（ｂ）は収容部を横断面で示した図である。
【図１０】本発明の第３実施形態に係る魚釣用リールの構成を示す図であり、（ａ）は前面図、（ｂ）は上面図である。
【図１１】収容部を断面で示した図であり、（ａ）は収容部を縦断面で示した図、（ｂ）は収容部を横断面で示した図である。
【図１２】本発明の第４実施形態に係る魚釣用リールの構成を示す図であり、（ａ）は前面図、（ｂ）は上面図である。
【図１３】収容部を断面で示した図であり、（ａ）は収容部を縦断面で示した図、（ｂ）は収容部を横断面で示した図である。
【図１４】（ａ），（ｂ）は釣糸巻き取り時における各部の位置関係を示す説明図、（ｃ），（ｄ）は釣糸放出時における各部の位置関係を示す説明図である。
【図１５】（ａ）はサムレストの構造を示した側断面図、（ｂ）は図１５（ａ）におけるＡ−Ａ線模式断面図である。
【発明を実施するための形態】
【００３３】
以下、本発明に係る魚釣用リールの実施形態について図面を参照しながら説明する。なお、以下の説明において、「前後」「左右」「上下」を言うときは、図１に示した方向を基準とする。なお、説明において、同一の要素には同一の符号を用い、重複する説明は省略する。
【００３４】
（第１実施形態）
図１に示すように、魚釣用リールのリール本体１は、釣糸が巻回されるスプール５を回転可能に支持した左右側板２Ａ，２Ｂを備え、図２（ａ）に示すように、右側板２Ｂに設けた駆動機構１０と、スプール５の前方において、駆動機構１０のハンドル軸７ａの回転操作に連動して左右方向に往復動可能に設けられ、スプール５に釣糸を平行に巻回する釣糸案内体２２と、この釣糸案内体２２に設けられたラインガイド２３と、を備えている。
そして、リール本体１におけるラインガイド２３の左右側方部位には、図１（ａ）（ｂ）、図２（ａ）に示すように、ラインガイド２３の往復動時に、ラインガイド２３の左端部２３ａおよび右端部２３ｂをそれぞれ収容可能な収容部４ａ，４ｂが設けられている。
また、ラインガイド２３の後方における近傍位置には、スプール５の軸線に沿う釣糸案内部３１（図２（ｂ）参照）を備えたピラー３０が上下方向に移動可能に設けられている。
ここで、リール本体１の「側板」は、図１（ｂ）に示すように、スプール５の軸方向の両端に位置する部材であり、本実施形態では、各種部材が支持されるフレーム体を構成する左右フレーム２ａ，２ｂと、これら左右フレーム２ａ，２ｂに所定の空間をもって夫々装着される左右外側板（カバー体）３ａ，３ｂとから構成される。左右フレーム２ａ，２ｂと左右外側板３ａ，３ｂとの間には内部空間が形成され、この内部空間には、図２（ａ）に示すように、駆動機構１０、クラッチ機構５０（図４参照）、バックラッシュ防止機構７０（図２（ａ）参照）等が設置されるようになっている。なお、左右フレーム２ａ，２ｂと左右外側板３ａ，３ｂとの形状については、適宜変形することが可能であり、それらを構成する材料は適宜設定することができる。また、これらの装着方法や装着位置についても、リール本体１の構成等により、種々の方法を用いることが可能である。
【００３５】
左右フレーム２ａ，２ｂは、複数の支柱を介して一体化されており、図１（ａ）に示すように、下部の支柱２ｃには、釣竿のリールシート（不図示）に装着される釣竿取付脚１ａが設けられている。
また、左右フレーム２ａ，２ｂ間には、図２（ａ）に示すように、軸受５ａ，５ｂを介してスプール軸５ｃが回転可能に支持されており、このスプール軸５ｃにスプール５が取り付けられている。
スプール５は、ハンドル７を回転操作することによって回転させることができるように構成されており、ハンドル７は、右外側板３ｂから突出したハンドル軸７ａの端部に取り付けられ、右外側板３ｂとの間に介在された逆転防止機構７ｂ（転がり式一方向クラッチ）によって、釣糸巻き取り方向にのみ回転可能となっている。
なお、スプール軸５ｃを回転可能に支持する軸受５ａ，５ｂは、左右フレーム２ａ，２ｂの部分に配設されていてもよいし、左右外側板３ａ，３ｂの部分に配設されていてもよい。
【００３６】
右フレーム２ｂと右外側板３ｂとの間には、ハンドル７の回転運動をスプール軸５ｃ、および後記するレベルワインド機構２０の螺軸２１に伝達する駆動機構１０、駆動力の伝達を継脱するクラッチ機構５０（図４参照）のほか、魚釣時にスプール５から釣糸が繰り出された際に、スプール５にドラグ力を付与するドラグ機構６０等が収容されている。
【００３７】
駆動機構１０は、公知のように、ハンドル軸７ａに回転可能に支持された駆動歯車１１と、この駆動歯車１１に噛合するピニオン１２とを備えている。ピニオン１２は、スプール軸５ｃと同軸上に設置されており、ピニオン軸１２ｃに沿って軸方向に移動可能となっている。また、ピニオン１２の外周には、円周溝１２ａが形成されており、この円周溝１２ａに、クラッチ機構５０のヨーク５７（図４参照）が係合して、ピニオン１２を軸方向に移動させるようになっている。すなわち、ピニオン１２が軸方向に移動することで、スプール軸５ｃとの間で継脱がなされ、動力伝達状態（クラッチＯＮ状態）／動力遮断状態（クラッチＯＦＦ状態）に切り換えられるようになっている。
【００３８】
スプール５の前方において、リール本体１の左右側板２Ａ，２Ｂ間には、レベルワインド機構２０が配置されている。レベルワインド機構２０は、駆動機構１０を介して回転駆動される螺軸２１と、螺軸２１に装着されて左右方向に往復動可能に設けられた釣糸案内体２２とを備えている。
螺軸２１は、左右側板２Ａ，２Ｂ間に回転可能に支持されており、駆動機構１０を介して回転駆動されるようになっている。螺軸２１の端部には、連動歯車２１ａが取り付けられており、この連動歯車２１ａには、ハンドル軸７ａの駆動歯車１１に隣接して設けられた歯車１１ａが噛合している。これにより、ハンドル７を巻き取り回転操作すると、ハンドル軸７ａの回転が、歯車１１ａおよび連動歯車２１ａを通じて螺軸２１に伝わり、螺軸２１が回転駆動される。
【００３９】
螺軸２１の外周面には、螺旋溝２１ｂが形成されており、この螺旋溝２１ｂには、釣糸案内体２２に設けられた摺動子２６（図３（ｂ）参照、以下同じ）が係合している。このような螺軸２１は、左右側板２Ａ，２Ｂ間に架け渡された筒体２５（図３（ｂ）参照、以下同じ）内に収容されている。
筒体２５は、図３（ｂ）に示すように、断面Ｃ字形状を呈して軸方向に延出する開口２５ａを有しており、この開口２５ａを通じて螺旋溝２１ｂが部分的に露出している。
【００４０】
また、釣糸案内体２２は、樹脂で形成され、左右側板２Ａ，２Ｂ間において、螺軸２１と平行に設けられたガイド軸２２ａに支持されており、下部が筒体２５を囲繞するようにしてこれに回り止め保持されている。そして、釣糸案内体２２の下部には、筒体２５の開口２５ａを通じて前記したように螺旋溝２１ｂと係合する摺動子２６が配置されている。なお、摺動子２６は、袋ナット２６ａによって釣糸案内体２２に固定されている。
これにより、釣糸案内体２２は、螺軸２１が連動歯車２１ａによって回転駆動されることで、螺旋溝２１ｂに係合する摺動子２６を介してガイド軸２２ａに沿って左右往復動するようになっている。
【００４１】
釣糸案内体２２の上部には、釣糸を案内するためのラインガイド２３が設けられている。
ラインガイド２３には、釣糸挿通孔２４が形成されている。釣糸挿通孔２４は、図２（ｂ）に示すように、前方から見て、スプール５の軸線Ｏ１に沿うようにして左右方向に横長形状とされており、図２（ｃ）に示すように、左右開口幅Ｃが上下開口高さＨ１（釣糸挿通孔２４の中央部における最大開口高さ）に比べて、大きくなるように形成されている。
釣糸挿通孔２４の上部内面２４ａは、水平面に対して平行とされており、この上部内面２４ａに連続する左右内面２４ｂ，２４ｂは、それぞれ鉛直面とされている。また、これらの左右内面２４ｂ，２４ｂに連続する下部内面２４ｃは、釣糸案内体２２の前方から見て、スプール５の軸線に沿うようにして左右方向に横長形状とされており、釣糸案内面として機能するようになっている。本実施形態の下部内面２４ｃは、釣糸挿通孔２４の中央部としての下部内面中央部２４ｃ’に向けて緩やかに直線状に下る傾斜面（凹凸のない面）とされている。
【００４２】
ここで、下部内面２４ｃの傾斜角度θは、図２（ｃ）に示すように、水平面に対して１〜３０度の範囲に設定されるのが好ましく、より好ましくは、５〜１５度の範囲に設定されるのがよい。
また、下部内面２４ｃは、前後方向にも直線状（凹凸のない面）に形成されている。
なお、釣糸挿通孔２４の上部内面２４ａと左右内面２４ｂ，２４ｂとの角部、左右内面２４ｂ，２４ｂと下部内面２４ｃとの角部は、いずれもアール状とされている。
なお、下部内面２４ｃは、左右方向に直線状とされたものに限られることはなく、左右方向に湾曲状（湾曲凸条、湾曲凹状）、左右方向に複数の直線を組み合わせた形状、さらに、左右方向に直線と曲線とを組み合わせた形状等、種々採用することができる。
また、下部内面２４ｃは、必ずしも前後方向に直線状を有しなくてもよいが、本実施形態のように、直線状として前後方向に奥行きをもたせることで、よりスムーズに釣糸を下部内面中央部２４ｃ’に導くことが可能となる。
【００４３】
下部内面２４ｃの中央部（下部内面中央部２４ｃ’）には、釣糸巻き取り時に釣糸を保持する釣糸案内溝２４ｄが形成されている。釣糸案内溝２４ｄは、下部内面２４ｃの中央部から下方へ向けて湾曲凹状に切り欠かれた溝であり、図３（ｂ）に示すように、釣糸挿通孔２４内において前後方向に延設されている。釣糸案内溝２４ｄ内には、後記するクラッチレバー５３の操作時に、下方へ向けて移動してきたピラー３０によって、下部内面２４ｃ（図２（ｂ）参照）を下部内面中央部２４ｃ’に向けて誘導されてきた釣糸が挿入されるようになっている（図５（ａ）〜（ｃ）参照）。
【００４４】
リール本体１におけるラインガイド２３の左右側方部位（リール本体１の左右側板２Ａ，２Ｂ）には、収容部４ａ，４ｂが設けられている。収容部４ａ，４ｂは、ラインガイド２３の左端部２３ａおよび右端部２３ｂをそれぞれ収容可能な大きさに形成されており、図３（ａ）に示すように、側方から見て、リール本体１の先端部１ｄとサムレスト４の先端部４ｄとの間において、後方へ向けて湾曲凹状に切り欠かれた形状を呈している。本実施形態では、収容部４ａ，４ｂを通じて、ラインガイド２３の左端部２３ａおよび右端部２３ｂ（図３（ａ）では左端部２３ａを図示）がリール本体１の左右側方にそれぞれ臨むようになっている。
【００４５】
ここで、ラインガイド２３は、前記したように、左右方向に横長形状とされており、釣糸案内体２２よりも左右方向に向けて張り出しているので、釣糸巻き取り時にハンドル７が回転操作されて釣糸案内体２２が左右往復動されると、図６（ａ）（ｂ）、図７（ａ）（ｂ）に示すように、その左端部２３ａおよび右端部２３ｂが左右フレーム２ａ，２ｂ（左右側板２Ａ，２Ｂ）に掛かる位置までそれぞれ移動することとなり、収容部４ａ，４ｂ内に左端部２３ａおよび右端部２３ｂがそれぞれ位置することとなる。
この場合、図６（ｃ）に示すように、最左端位置に移動したラインガイド２３の左端部２３ａの位置と、最右端位置に移動したラインガイド２３の右端部２３ｂの位置との間の距離をＤ２とし、スプール５の近傍におけるリール本体１の側板内面間の距離（スプール５の近傍における左右フレーム２ａ，２ｂ間の距離）をＤ１とすると、これらの関係が次式（１）の関係を有するように設定されている。
Ｄ１  ＜  Ｄ２                  ・・・（１）
【００４６】
すなわち、スプール５の近傍における左右フレーム２ａ，２ｂ間の距離Ｄ１よりもラインガイド２３の左端部位置と最右端位置との間の距離Ｄ２が大きくなるように設定されている。
これにより、横長形状とされたラインガイド２３において、釣糸巻き取り時に、ラインガイド２３の左端部２３ａと右端部２３ｂとを収容部４ａ，４ｂにそれぞれ好適に逃がしつつ、ラインガイド２３の左右方向の往復動を好適に確保することができるようになっている。
つまり、通常であれば、前記関係とされることで、リール本体１の側板内面（左右フレーム２ａ，２ｂの内面等）にラインガイド２３の左端部２３ａと右端部２３ｂｂとがそれぞれ当接してしまうところを、収容部４ａ，４ｂに左端部２３ａおよび右端部２３ｂをそれぞれ位置させることができ、ラインガイド２３の左右方向の往復動を好適に確保することができるようになっている。
【００４７】
また、本実施形態では、下部内面（釣糸案内面）２４ｃは、ラインガイド２３の最左端位置および最右端位置におけるスプール５への投影視において、次の関係を有するように設定されている。
すなわち、図６（ｂ）に示すように、ラインガイド２３が最右端位置に移動した状態で、ラインガイド２３の左右開口幅Ｃ（図２（ｂ）参照）の略半分となる開口幅（開口領域）Ｃ／２が、スプール５の軸線に沿う釣糸巻回領域（巻回範囲）Ｌの略半分となる釣糸巻回領域（巻回範囲）Ｌ／２に対応したものとなるように設定されている。また、ラインガイド２３が最左端位置に移動した状態においても前記と同様に設定されている。
つまり、ラインガイド２３の最左端位置および最右端位置において、ラインガイド２３の開口幅Ｃ／２がスプール５の釣糸巻回領域Ｌ／２に対応しているので、通常釣糸の繰り出しが好ましくない最左端位置および最右端位置においても、スムーズな釣糸の繰り出しが可能となっている。
【００４８】
なお、ラインガイド２３は、図３（ａ）に示すように、収容部４ａ，４ｂを通じて、全体がリール本体１の左右側方に臨むように構成したが、左端部２３ａ、あるいは右端部２３ｂのみが収容部４ａ，４ｂを通じてリール本体１の左右側方に臨むように構成してもよい。
また、収容部４ａ，４ｂの形状は、前記した側面視で湾曲凹状のものに限られず、側面視で丸形凹状や角形凹状等、種々の形状を採用しても差し支えない。
【００４９】
また、収容部４ａ，４ｂの一部を形成しているサムレスト４は、図６（ｃ）に破線で示すように、上面視で、先端部４ｄ’をラインガイド２３の上面２３ｄに掛からないように、スプール５側に向けて後退させて形成してもよい。このようにすることで、サムレスト４としての機能を有しながらも、リール本体１の軽量化を図ることができる。この場合、釣糸巻き取り時に、仮に、サムレスト４に載せた指がラインガイド２３の左端部２３ａや右端部２３ｂに上方から触れてこれに引っ掛かっても、収容部４ａ，４ｂを通じて左端部２３ａおよび右端部２３ｂがリール本体１の左右側方にそれぞれ臨むように構成されているので、収容部４ａ，４ｂに指を好適に逃がすことができる。これにより、巻き取り操作が妨げられることもない。
【００５０】
ピラー３０は、図１（ａ）（ｂ）、図３（ｂ）に示すように、円柱状の棒状部材であり、スプール５とラインガイド２３との間において、ラインガイド２３の後方の近傍位置で、上下方向に移動可能に配置されている。
ピラー３０は、図４に示すように、クラッチ機構５０のクラッチ駆動部材５１に一体的に設けられた腕部５１ａに対して一端部が支持されており、後記するようにクラッチ駆動部材５１が駆動されることにより、左右フレーム２ａ，２ｂに形成された湾曲長溝２ａ’，２ｂ’（図３（ｂ）参照、一方のみ図示）に沿うようにして上下方向に移動可能に設けられている。
ピラー３０は、図２（ｂ）に示すように、スプール５の軸線Ｏ１に沿う釣糸案内部３１（下部外周面、図３（ａ）参照）を備えており、スプール５とラインガイド２３との間において、この釣糸案内部３１で釣糸を押下可能である。
なお、ピラー３０は、円柱状の棒状部材とされたものに限られることはなく、釣糸を押下可能な釣糸案内部３１を有する板状としてもよい。また、釣糸案内部３１としては、左右方向に直線状とされたものに限られることはなく、左右方向に傾斜する直線状、湾曲状（湾曲凸条、湾曲凹状）、左右方向に複数の角度の直線を例えば連続して組み合わせた形状、左右方向に直線と曲線とを組み合わせた形状等としてもよい。
【００５１】
このようなピラー３０は、クラッチ機構５０により、スプール５に対する釣糸の巻き取りを可能にするクラッチＯＮ状態（釣糸巻き取り時）で下方向に移動するようになっており、その際に、釣糸挿通孔２４内に挿通された釣糸を下部内面中央部２４ｃ’に誘導し、当該下部内面中央部２４ｃ’（釣糸案内溝２４ｄ）に釣糸を保持する第１の位置を採るようになっている。また、ピラー３０は、スプール５から釣糸の繰り出しを可能にするクラッチＯＦＦ状態（釣糸放出時）で上方向に移動するようになっており、その際に第１の位置から退避して前記した釣糸の保持を解除する第２の位置を採るようになっている。
【００５２】
ここで、ピラー３０は、図３（ｂ）に示すように、スプール軸５ｃの軸心Ｏ２を通る水平面（不図示）よりも上方となる領域において、上下移動可能に設けられており、これによって、第１の位置から第２の位置に向かう上方向の移動時には、上方向の移動成分とともに後方のスプール５に近づく方向の移動成分を含んで移動するようになっている。
また、第２の位置から第１の位置に向かう下方向の移動時には、下方向の移動成分とともに前方のラインガイド２３に近づく方向の移動成分を含んで移動するようになっている。
【００５３】
本実施形態では、クラッチ駆動部材５１の腕部５１ａに対して、ピラー３０が軸受３０ａ，３０ｂ（図１（ｂ）参照）を介して軸回りに回動可能に支持されており、釣糸巻き取り時の巻き取り抵抗および釣糸放出時の放出抵抗が低減されるようになっている。
【００５４】
クラッチ機構５０は、図４に示すように、右フレーム２ｂに沿って回動可能に支持されたクラッチ駆動部材５１と、このクラッチ駆動部材５１を駆動するクラッチレバー５３とを含んで構成されている。
【００５５】
クラッチ駆動部材５１は、公知のように、右フレーム２ｂに対して回動可能に支持され、振分けバネ５６によって、図４において実線で示した動力伝達状態（クラッチＯＮ状態）と、図４において二点鎖線で示した動力遮断状態（クラッチＯＦＦ状態）とに振分け保持されるようになっている。また、クラッチ駆動部材５１の表面には、ピニオン１２（図２（ａ）参照、以下同じ）の円周溝１２ａ（図２（ａ）参照）に嵌合したヨーク５７と係合可能な一対のカム面５８，５８が形成されている。
そして、クラッチ駆動部材５１の前部には、前方へ向けて延設された腕部５１ａが一体的に設けられており、この腕部５１ａの先端部に、前記したようにピラー３０の一端部が支持されている。
【００５６】
ヨーク５７の先端側は、右フレーム２ｂに突設された支持ピン５９，５９によって保持されており、ヨーク５７は、各支持ピン５９，５９に配設されたバネ部材（図示せず）によって常時、クラッチ駆動部材５１側に付勢された状態となっている。なお、図４では、ヨーク５７が不図示のバネ部材によってクラッチ駆動部材５１側に付勢された状態を示しており、このとき、ピニオン１２は、スプール軸５ｃの端部に形成されている係合部に嵌合してクラッチＯＮ状態となっている。
【００５７】
クラッチ駆動部材５１の後端部は、支持部材５３ａを介してクラッチレバー５３と連結されており、図４において矢印Ｘ１で示すように、クラッチレバー５３が押下げ操作されると、クラッチ駆動部材５１は、図中反時計回り方向に回動され、ヨーク５７を介して、ピニオン１２をスプール軸５ｃの端部に形成されている係合部から離脱させる（クラッチＯＦＦ状態に切り換える）ように作用する。また、この状態は、振分けバネ５６によって保持される。
また、このようなクラッチレバー５３の押下げ操作によって、クラッチ駆動部材５１が図中反時計回り方向に回動されると、腕部５１ａの先端部が上方向に移動し、これによって、ピラー３０が上方向に移動して第２の位置に配置される。
つまり、クラッチレバー５３を操作することで、クラッチ駆動部材５１は、クラッチＯＮ状態（釣糸巻き取り位置）と、クラッチＯＦＦ状態（釣糸放出位置）と、に位置決めされるようになっており、この位置決めに連動して、ピラー３０が第１の位置と第２の位置とに位置決めされるようになっている。
【００５８】
次に、スプール５、ピラー３０および釣糸挿通孔２４の高さの関係について、図５を参照して説明する。
図５（ａ）〜（ｃ）は釣糸巻き取り時における各部の位置関係を示した図であり、クラッチ機構５０（図４参照）が動力伝達状態（クラッチＯＮ状態）とされて、ピラー３０が第１の位置に配置されている状態を示している。
【００５９】
ここで、リール本体１の釣竿取付脚１ａの下面を基準として、スプール５の釣糸巻回位置５ｅまでの高さをｈ１、ピラー３０の釣糸案内部３１（図３（ｂ）参照、以下同じ）までの高さをｈ２、釣糸挿通孔２４の上部内面２４ａ（図２（ｃ）参照、以下同じ）までの高さをｈ３、釣糸挿通孔２４の下部内面中央部２４ｃ’までの高さをｈ４、としたときに、釣糸巻き取り時には、次式（２）かつ（３）の関係を有するように設定されている。
なお、釣糸巻回位置は、通常、規定の釣糸量を巻いたときの外径に相当しており、また、その位置が明確でない場合においては、スプールの最大外径（＝フランジ５ｄの外径）の９８％で定義される径位置とする。
ｈ１  ≧  ｈ３  ＞  ｈ２        ・・・（２）
ｈ４  ≧  ｈ２                  ・・・（３）
【００６０】
すなわち、釣糸巻き取り時においては、リール本体１の下端部を基準として、スプール５の釣糸巻回位置５ｅまでの高さｈ１以下となるように、釣糸挿通孔２４の上部内面２４ａまでの高さｈ３が設定され、さらにこの高さｈ３よりも低くなるようにピラー３０の釣糸案内部３１までの高さｈ２が設定されている。そして、さらに、ピラー３０の釣糸案内部３１までの高さｈ２は、釣糸挿通孔２４の下部内面中央部２４ｃ’までの高さｈ４以下となるように設定されている。
これにより、ピラー３０は、第１の位置に移動されると、釣糸挿通孔２４の上部内面２４ａよりも低い位置において、下部内面中央部２４ｃ’と同じかあるいはこれよりもさらに低くなる位置に釣糸案内部３１が位置する状態となる。
【００６１】
したがって、クラッチレバー５３の操作やハンドル７の操作によってクラッチＯＦＦ状態からクラッチＯＮ状態に切り換えられると、第２の位置から第１の位置にピラー３０が移動する過程で釣糸案内部３１により釣糸が押し下げられ、その際に、釣糸は、釣糸挿通孔２４の下部内面２４ｃに沿って傾斜面を下部内面中央部２４ｃ’に向けて移動する。そして、ピラー３０が第１の位置まで移動されることで、釣糸案内溝２４ｄ内に釣糸が誘導される。これによって、釣糸は釣糸案内溝２４ｄ内に好適に保持される。
【００６２】
このように、釣糸案内溝２４ｄ内に釣糸が保持された状態で、前記式（２）（３）により、釣糸には、ピラー３０の釣糸案内部３１による押圧でテンションが付与された状態となる。したがって、釣糸巻き取り時には、ピラー３０で押さえられて釣糸が暴れ難くなり、これによって、釣糸案内溝２４ｄ内から釣糸が外れ難くなる。
【００６３】
ここで、リール本体１の下端部を基準として、釣糸案内溝２４ｄの底部までの高さをｈ０とすると、釣糸巻き取り時には、次式（４）の関係を有するように設定されることが特に好ましい。
ｈ４  ≧  ｈ２  ＞  ｈ０        ・・・（４）
【００６４】
この場合には、釣糸挿通孔２４の下部内面中央部２４ｃ’までの高さｈ４以下となるように、ピラー３０の釣糸案内部３１までの高さｈ２が設定され、さらにこの高さｈ２よりも低くなるように釣糸案内溝２４ｄの底部までの高さｈ０が設定されることとなる。これによって、ピラー３０は、第１の位置に移動されると、釣糸挿通孔２４の下部内面中央部２４ｃ’と同じかまたはそれよりも低い位置において、釣糸案内溝２４ｄの底部よりも高い位置に釣糸案内部３１が位置する状態となる。
したがって、釣糸案内溝２４ｄ内に釣糸が確実に保持されるようになり、釣糸案内溝２４ｄ内から釣糸がより一層外れ難くなる。
なお、軽い仕掛けを使用する釣種の場合には、大きなテンションを釣糸に付与したいので、  ｈ２  ≦  ｈ０  としてもよい。
【００６５】
一方、図５（ｄ）〜（ｆ）は釣糸放出時における各部の高さの関係を示した図であり、クラッチ機構５０（図４参照）が動力遮断状態（クラッチＯＦＦ状態）とされて、ピラー３０が第２の位置に配置されている状態を示している。
ここで、釣糸放出時には、次式（５）かつ（６）の関係を有するように設定されている。
ｈ１  ≧  ｈ３                  ・・・（５）
ｈ２  ＞  ｈ３                  ・・・（６）
【００６６】
すなわち、釣糸放出時において、リール本体１の下端部を基準として、スプール５の釣糸巻回位置５ｅまでの高さｈ１以下となるように、釣糸挿通孔２４の上部内面２４ａまでの高さｈ３が設定され、かつ、ピラー３０の釣糸案内部３１までの高さｈ２が釣糸挿通孔２４の上部内面２４ａまでの高さｈ３よりも大きくなるように設定されている。
これにより、ピラー３０は、第２の位置に移動されると、スプール５の釣糸巻回位置５ｅと同じかまたはこれよりも低い位置において、釣糸挿通孔２４の上部内面２４ａよりも高い位置に釣糸案内部３１が位置する状態となる。
【００６７】
したがって、クラッチレバー５３の操作によってクラッチＯＮ状態からクラッチＯＦＦ状態に切り換えられると、第１の位置から第２の位置にピラー３０が移動して退避される過程で、釣糸案内溝２４ｄ内における釣糸の保持が解除され、前記式（５）の関係により、釣糸挿通孔２４の上部の横長のスペースに釣糸が移動することとなる。したがって、スムーズな釣糸の放出を行うことができる。
また、第２の位置にピラー３０が移動した状態では、前記式（５）（６）の関係から、ピラー３０の釣糸案内部３１が、釣糸挿通孔２４の上部内面２４ａとスプール５の釣糸巻回位置５ｅとの間に架け渡された釣糸の上方に間隔を隔てて位置することとなる。したがって、スプール５から繰り出される釣糸にピラー３０が接触せず、これによって、スムーズな釣糸の放出を行うことができる。
【００６８】
なお、釣糸巻き取り時には、図６（ａ）（ｂ）、図７（ａ）（ｂ）に示すように、ハンドル７の巻き取り回転操作により、ラインガイド２３が左右方向に往復移動し、ラインガイド２３の釣糸案内溝２４ｄに挿通保持された釣糸が、ピラー３０を介してスプール５に略平行に巻回される。
【００６９】
本実施形態では、ラインガイド２３の釣糸案内溝２４ｄが、スプール５の巻回幅いっぱいに往復移動して、釣糸をスプール５に案内するように位置調整されている。
その際、ラインガイド２３は、図６（ａ）（ｂ）、図７（ａ）（ｂ）に示すように、その左端部２３ａおよび右端部２３ｂが、左右フレーム２ａ，２ｂに掛かる位置までそれぞれ移動し、リール本体１におけるラインガイド２３の左右側方部位に設けられた収容部４ａ，４ｂに逃がされる。
これによって、横長形状とされたラインガイド２３の左右方向の往復移動が確保され、釣糸案内溝２４ｄがスプール５の巻回幅いっぱいに往復移動可能となる。
【００７０】
また、釣糸放出時には、図６（ｄ）に示すように、ラインガイド２３の釣糸挿通孔２４の左右開口の範囲内で釣糸が放出可能である。
なお、図６（ｄ）では、ラインガイド２３が略中央に位置した場合を示したが、図６（ａ）、図７（ａ）に示すように、左端にラインガイド２３が移動した場合や、図６（ｂ）、図７（ｂ）に示すように、右端にラインガイド２３が移動した場合においても、ラインガイド２３の釣糸挿通孔２４の略半分の開口幅（開口領域）Ｃ／２がスプール５の軸方向の釣糸巻回領域（巻回範囲）Ｌ／２に対応したものとなっているので、スムーズな釣糸の繰り出しが可能である。
【００７１】
以上説明した本実施形態の魚釣用リールによれば、下部内面（釣糸案内面）２４ｃが左右方向に横長形状とされており、釣糸放出時には、この横長の下部内面２４ｃ上を釣糸が左右方向に繰り出し位置を変えながら通過することとなるので、釣糸の接触抵抗（送出抵抗）が小さくなり、スムーズな釣糸の放出を実現することができる。
これにより、釣糸の放出スピードが減速され難くなり、例えば、キャスティング時の投擲距離を伸ばすことができる。また、船釣り等においては、仕掛け落下のスピードを上げることができる。
【００７２】
そして、リール本体１におけるラインガイド２３の左右側方部位に設けられた収容部４ａ，４ｂに、ラインガイド２３の左端部２３ａおよび右端部２３ｂをそれぞれ収容するようにしてラインガイド２３を左右方向に往復動させることができるので、左右方向に往復動する釣糸案内体２２を介してスプール５の左右に釣糸が均等に振分けられ、スプール５に釣糸が均一かつ平行（平坦）に巻き取られる。これにより、スムーズな釣糸の放出が可能でありながら、スムーズな釣糸の巻き取りを実現することができる魚釣用リールが得られる。
【００７３】
また、スプール５の近傍におけるリール本体１の側板内面間（左右フレーム２ａ，２ｂ間）の距離Ｄ１よりも、最左端位置に移動したときのラインガイド２３の左端部２３ａの位置と最右端位置に移動したときのラインガイド２３の右端部２３ｂの位置との間の距離Ｄ２が大きくなるようにされているので、釣糸巻き取り時に、ラインガイド２３の左端部２３ａと右端部２３ｂとを収容部４ａ，４ｂにそれぞれ好適に逃がしつつ、ラインガイド２３の左右方向の往復動を好適に確保することができる。したがって、左右方向に往復動する釣糸案内体２２を介してスプール５の左右に釣糸が均等に振分けられ、スプール５に釣糸が均一かつ平行（平坦）に巻き取られる。これにより、スムーズな釣糸の放出が可能でありながら、スムーズな釣糸の巻き取りを好適に実現することができる。
【００７４】
また、収容部４ａ，４ｂは、リール本体１のリール本体１の左右側板２Ａ，２Ｂを切欠くことで簡単に形成することができる。したがって、生産性が高い。
【００７５】
また、釣糸巻き取り時に釣糸は、下部内面中央部２４ｃ’において、左右方向の移動が規制された状態で位置決めされることとなるので、左右方向に往復動する釣糸案内体２２を介してスプール５の左右に釣糸が均等に振分けられ、スプール５に釣糸が均一かつ平行（平坦）に巻き取られる。これにより、スムーズな釣糸の放出が可能でありながら、スムーズな釣糸の巻き取りを好適に実現することができる。
【００７６】
また、ラインガイド２３の下部内面（釣糸案内面）２４ｃにおける開口幅（開口領域）Ｃ／２が、釣糸巻回領域（巻回範囲）Ｌ／２に対応したものとなっているので、ラインガイド２３が最左端位置や最右端位置にある状態で釣糸の放出が行われたときに、下部内面２４ｃにおける略半分の開口幅（開口領域）Ｃ／２を利用した釣糸の繰り出しが行われることとなり、最左端位置および最右端位置においてもスムーズな釣糸の放出を実現することができる。
【００７７】
（第２実施形態）
図８、図９を参照して第２実施形態の魚釣用リールについて説明する。
本実施形態の魚釣用リールが前記第１実施形態と異なるところは左右側板２Ａ，２Ｂの内側に収容部４ａ，４ｂが形成されている点である。
【００７８】
収容部４ａ，４ｂは、図８（ａ）（ｂ）に示すように、左右側板２Ａ，２Ｂの左右フレーム２ａ，２ｂに側方へ向けた有底の凹状部を設けることで形成されている。収容部４ａ，４ｂは、図９（ａ）（ｂ）に示すように、縦方向の断面および横方向の断面が、最左端位置および最右端位置に移動したときのラインガイド２３の左端部２３ａ，右端部２３ｂの外形状に沿う内面を有しており、左端部２３ａ，右端部２３ｂをそれぞれ収容可能に構成されている。
ここで、図９（ａ）に示すように、収容部４ａ，４ｂの下面１４ａ，１４ｂは、ラインガイド２３の下面２３ｅ，２３ｆに対応した傾斜面とされており、リール本体１の内側に向けて下り傾斜状とされている。これによって、収容部４ａ，４ｂ内に、仮に、水分や塵埃等の異物が入り込んでも、これが下面２３ｅ，２３ｆ上に留まり難くなり、収容部４ａ，４ｂ外に好適に排出することができる。したがって、長期的に安定したラインガイド２３の往復動を実現することができる。
【００７９】
この魚釣用リールによれば、左右側板２Ａ，２Ｂの左右フレーム２ａ，２ｂに、有底の凹状部を設けることで収容部を簡単に形成することができる。したがって、生産性の向上された魚釣用リールが得られる。
また、収容部４ａ，４ｂが有底の凹状部を設けることで形成され、左右外側板３ａ，３ｂに収容部４ａ，４ｂが露出していないので、左右外側板３ａ，３ｂ側からの異物の混入を防止することができる。
【００８０】
（第３実施形態）
図１０、図１１を参照して第３実施形態の魚釣用リールについて説明する。
本実施形態の魚釣用リールが前記第１，第２実施形態と異なるところは、図１０（ａ）（ｂ）に示すように、左右側板２Ａ，２Ｂに貫通孔を設けることで収容部４ａ，４ｂが形成されている点である。
【００８１】
収容部４ａは、図１１（ａ）（ｂ）に示すように、左フレーム２ａに形成された貫通孔２ａ１と、この貫通孔２ａ１に連通して左外側板３ａに形成された貫通孔３ａ１とから構成されており、左外側板３ａに貫通孔３ａ１の開口４ａ１が形成されている。また、収容部４ｂは、図１１（ａ）（ｂ）に示すように、右フレーム２ｂに形成された貫通孔２ｂ１と、この貫通孔２ｂ１に連通して右外側板３ｂに形成された貫通孔３ｂ１とから構成されており、右外側板３ｂに貫通孔３ｂ１の開口４ｂ１が形成されている。
【００８２】
本実施形態では、ラインガイド２３の最左端位置（図１１（ａ）（ｂ）で二点鎖線で示す位置）において、左端部２３ａが、収容部４ａの貫通孔２ａ１を通じてこれよりも左側（外側）の貫通孔３ａ１内に位置するように構成されている。また、ラインガイド２３の最右端位置（図１１（ａ）（ｂ）で実線で示す位置）において、右端部２３ｂが、収容部４ｂの貫通孔２ｂ１を通じてこれよりも右側（外側）の貫通孔３ｂ１内位置するように構成されている。なお、最左端位置および最右端位置のいずれにおいても、左端部２３ａおよび右端部２３ｂは、開口４ａ１，４ｂ１に位置しておらず、貫通孔３ａ１，３ｂ１内に位置している。
【００８３】
つまり、最左端位置に移動したラインガイド２３の左端部２３ａが収容部４ａから突出しないように構成されており、また、最右端位置に移動したラインガイド２３の右端部２３ｂが収容部４ｂから突出しないように構成されている。
これにより、添えた指に左端部２３ａや右端部２３ｂが当たることがなく、リール本体１を握る指や手のひらに、違和感を覚えることもない。
【００８４】
この魚釣用リールによれば、左右側板２Ａ，２Ｂの左右フレーム２ａ，２ｂおよび左右外側板３ａ，３ｂに、貫通孔２ａ１，２ｂ１および貫通孔３ａ１，３ｂ１を設けることで収容部を簡単に形成することができる。したがって、生産性の向上された魚釣用リールが得られる。
また、収容部４ａ，４ｂが左右フレーム２ａ，２ｂおよび左右外側板３ａ，３ｂからなるので、剛性をもたせつつ、ラインガイド２３の左右方向の移動を確保することができるとともに、左右フレーム２ａ，２ｂおよび左右外側板３ａ，３ｂとを備えた構成において左右方向のコンパクト化も図ることができる。
【００８５】
なお、本実施形態では、貫通孔３ａ１，３ｂ１内に左端部２３ａ，右端部２３ｂがそれぞれ位置するように構成したが、これに限られることはなく、左右フレーム２ａ，２ｂの貫通孔２ａ１，２ｂ１内に左端部２３ａ，右端部２３ｂがそれぞれ位置するように構成してもよい。また、貫通孔２ａ１，２ｂ１と貫通孔３ａ１，３ｂ１との境目部分に左端部２３ａ，右端部２３ｂがそれぞれ位置するように構成してもよい。
【００８６】
また、貫通孔３ａ１，３ｂ１の開口４ａ１，４ｂ１を閉塞して、貫通孔３ａ１，３ｂ１が有底の凹状部となるように形成してもよい。
この場合には、貫通孔２ａ１，２ｂ１が左右外側板３ａ，３ｂの凹状部で覆われることとなるので、異物の混入防止が可能である。
【００８７】
（第４実施形態）
図１２〜図１５を参照して第４実施形態の魚釣用リールについて説明する。
本実施形態の魚釣用リールが前記第１〜第３実施形態と異なるところは、リール本体１の上部の左右側板２Ａ，２Ｂ間に設けられたサムレスト４０が、クラッチレバー５３の切り換え操作に連動して上下方向に移動可能に設けられており、そのサムレスト４０の内側に収容部４ａ，４ｂが形成されている点である。
【００８８】
サムレスト４０の前部は、図１２（ａ）（ｂ）に示すように、ラインガイド２３を覆うように前方へ向けて延設されており、ラインガイド２３の左右側方部位となるサムレスト４０の内側には、図１３（ａ）（ｂ）にも示すように、収容部４ａ，４ｂが形成されている。つまり、釣糸巻き取り時にラインガイド２３は、サムレスト４０の前部の内側において左右方向に移動するように構成されている。
【００８９】
サムレスト４０の前部の下面には、図１４（ａ）（ｃ）に示すように、支持部４１を介してピラー３０が回転可能に支持されている。ピラー３０は、サムレスト４０を閉じた状態（先端を下方向へ回動して第１の位置にピラー３０を移動させた状態）で、図１４（ａ）に示すように、ラインガイド２３の後方の近傍位置に配置されるようになっており、その位置で釣糸を押し下げて、釣糸案内溝２４ｄに釣糸を誘導するように構成されている。
【００９０】
サムレスト４０の前端部４０ａは、下方へ向けて折曲されており、その先端下部には、図１２（ａ）に示すように、釣糸挿通用の開口４０ｂが形成されている。この開口４０ｂは、サムレスト４０を閉じた状態（図１４（ａ）参照）においても前方へ向けて開いており、釣糸巻き取り時における釣糸の挿通が可能となっている。
サムレスト４０の上面中央部には、図１２（ｂ）に示すように、段差部４３が形成されており、この段差部４３を介してサムレスト４０の後部側が左右方向に幅狭に形成されている。そして後部側には、クラッチレバー５３が連結されている。
クラッチレバー５３は、サムレスト４０と一体成形部材であってもよいし、別体であってもよい。別体の場合には、支持部材５３ａを介してクラッチ機構５０に連結される。
サムレスト４０の中央部の下部には、図１５（ａ）に示すように、円環部４４が一体的に設けられている。この円環部４４は、図１５（ｂ）に示すように、左右フレーム２ａ，２ｂの内側に設けられた、スプール軸５ｃと同芯円環状の突設部（フランジ）４３ａ，４３ｂに対して外嵌可能であり、これらの突設部４３ａ，４３ｂに円環部４４，４４がそれぞれ外嵌されることで、サムレスト４０は、スプール軸５ｃ周りに回動可能に取り付けられ、クラッチレバー５３の切り換え操作に連動して（先端部側が）上下方向に移動可能に設けられている。
【００９１】
そして、スプール５に対する釣糸の巻き取りを可能にするクラッチＯＮ状態にクラッチレバー５３を切り換え操作することにより、サムレスト４０が下方向へ移動し（図１４（ａ）参照）、この移動によりピラー３０が第１の位置に移動して、釣糸挿通孔２４の下部内面中央部２４ｃ’の釣糸案内溝２４ｄに釣糸が保持される。
また、スプール５からの釣糸放出を可能にするクラッチＯＦＦ状態にクラッチレバー５３を切り換え操作することにより、サムレスト４０が上方向へ移動し（図１４（ｃ）参照）、この移動によりピラー３０が第２の位置に移動して、釣糸挿通孔２４の下部内面中央部２４ｃ’の釣糸案内溝２４ｄから釣糸が離れる。
【００９２】
本実施形態の魚釣用リールによれば、釣糸放出（仕掛けの投入）から釣糸巻き取りまでの一連の操作をスムーズに行うことができ、操作性に優れ、釣果の向上を期待することができる。
そして、サムレスト４０内に設けられた収容部４ａ，４ｂに、ラインガイド２３の左端部２３ａおよび右端部２３ｂをそれぞれ収容するようにしてラインガイド２３を左右方向に往復動させることができるので、左右方向に往復動する釣糸案内体２２を介してスプール５の左右に釣糸が均等に振分けられ、スプール５に釣糸が均一かつ平行（平坦）に巻き取られる。これにより、スムーズな釣糸の放出が可能でありながら、スムーズな釣糸の巻き取りを実現することができる魚釣用リールが得られる。
【００９３】
また、サムレスト４０で覆われる空間内においてラインガイド２３を左右方向に往復動させることができるので、サムレスト４０でラインガイド２３を保護することができる。
また、例えば、サムレスト４０を回動等によってさらに大きく開閉可能に設けることで、サムレスト４０を開くことにより収容部４ａ，４ｂを開放することができ、メンテナンス性の向上を図ることができる。
また、収容部４ａ，４ｂがサムレスト４０で覆われるので、前記第３実施形態で示した魚釣用リールのように（図１１参照）、左右フレーム２ａ，２ｂと左右外側板３ａ，３ｂとの合せ部等で収容部４ａ，４ｂを形成するようにしたものと比べて、合せ部（合せ面）の形状を単純な形状とすることができる。このことは、生産性の向上に寄与する。
【００９４】
なお、サムレスト４０とピラー３０とが一緒に移動するので、サムレスト４０がピラー３０の移動に邪魔にならず、ピラー３０の上下方向の移動量を大きく設定することができ、ラインガイド２３を上下方向（高さ方向）に大きく形成することも可能である。これによって、釣糸放出時に釣糸挿通孔２４の内面と釣糸との放出抵抗（接触抵抗）が小さくなる。これによって、スムーズな釣糸の放出を実現することができる。
また、ピラー３０を下方向に移動させたときには、サムレスト４０も下がるので、違和感なくパーミング（把持）しながら、釣糸の巻き取り操作を行うことができ、操作性に優れる。
【００９５】
なお、サムレスト４０の前部左右に設けた側板４２ａ，４２ｂ（図１４（ａ）参照）は、必ずしも設けなくてもよく、排除することで、収容部４ａ，４ｂが左右側方に臨むように構成してもよい。この場合には、側板４２ａ，４２ｂが排除された分、サムレスト４０の軽量化を図ることができる。
【００９６】
なお、前記各実施形態では、釣糸挿通孔２４の下部内面中央部２４ｃ’に釣糸案内溝２４ｄを設けたが、釣糸案内溝２４ｄは必ずしも設けなくてもよく、下部内面中央部２４ｃ’の谷部によって釣糸が位置決め保持されるようにしてもよい。
【００９７】
また、前記各実施形態では、ピラー３０を上下方向に移動可能に構成したが、これに限られることはなく、ピラー３０を固定して、ラインガイド２３を上下方向に移動可能に構成してもよく、また、ラインガイド２３およびピラー３０の両方を上下方向に移動可能に構成してもよい。
また、前記各実施形態では、ラインガイド２３およびピラー３０を前後方向に一対設けたが、これに限られることなく、１つのラインガイド２３に対して２以上のピラー３０を設けてもよい。この場合に、ラインガイド２３を前後のそれぞれにピラー３０を設けてもよい。
また、ピラー３０は棒状としたが、内側に釣糸が挿通可能な枠状（環状）としてもよい。
【００９８】
また、各実施形態において、釣糸放出時にラインガイド２３は、左右方向に静止状態であるが、スプール５の回転と連動させて、左右往復動させてもよく、この場合にも、釣糸放出時の抵抗を減少させることができる。
【００９９】
また、各実施形態において、クラッチＯＮ状態にしてドラグフリー状態にしたときに、ラインガイド２３とピラー３０とが離れる方向に移動可能とする構成にしてもよい。この場合には、ラインガイド２３とピラー３０との距離を変化させる操作部をクラッチ機構５０とは切り離して別個に設ければよい。
【０１００】
また、ラインガイド２３は、釣糸挿通孔２４を有するものに限られることはなく、釣糸案内体２２の左右方向に二又に延び、上面が下部内面２４ｃと同様の傾斜面とされた延設部と、この延設部の左右端部から上方へ向けて立ち上げられた左側部，右側部と、を備え、上方が開放された略コ字形状を呈したものでもよい。この場合には、左側部，右側部が収容部４ａ，４ｂに収容されるように構成することで、ラインガイド２３の往復動を好適に確保することができ、前記各実施形態で説明したような作用効果を得ることができる。
【０１０１】
なお、釣糸挿通孔２４が設けられたラインガイド２３において、図示しない切欠き部をラインガイド２３に設けることによって、その切欠き部を通じて釣糸挿通孔２４内に釣糸を通すように構成してもよい。この場合には、釣糸挿通孔２４に直接に釣糸を通すときのような手間がかからない。したがって、操作性のよい魚釣用リールが得られる。
【符号の説明】
【０１０２】
１      リール本体                  ２３    ラインガイド
２Ａ，２Ｂ    左右側板              ２３ａ    左端部
２ａ，２ｂ    フレーム              ２３ｂ    右端部
２ａ１，２ｂ１  貫通孔              ２４ｃ    下部内面（釣糸案内面）
３ａ，３ｂ    左右外側板            ２４ｃ’  下部内面中央部（中央部）
３ａ１，３ｂ１  貫通孔              ３０    ピラー
４ａ，４ｂ    収容部                ３１    釣糸案内部
５      スプール                    ４０    サムレスト
７      ハンドル                    Ｄ１    距離
７ａ    ハンドル軸                  Ｄ２    距離
１０    駆動機構                    Ｏ１    軸線
２０    レベルワインド機構          Ｃ／２  領域
２２    釣糸案内体                  Ｌ／２  領域
【図１】
0005323797.tif 000002
【図２】
0005323797.tif 000003
【図３】
0005323797.tif 000004
【図４】
0005323797.tif 000005
【図５】
0005323797.tif 000006
【図６】
0005323797.tif 000007
【図７】
0005323797.tif 000008
【図８】
0005323797.tif 000009
【図９】
0005323797.tif 000010
【図１０】
0005323797.tif 000011
【図１１】
0005323797.tif 000012
【図１２】
0005323797.tif 000013
【図１３】
0005323797.tif 000014
【図１４】
0005323797.tif 000015
【図１５】
0005323797.tif 000016